(57)【要約】【課題】給紙カセットの上方に配置される用紙搬送経路をミラーで反射させて視認することができ、用紙搬送経路を容易に確認することができる給紙装置および画像形成装置を提供する。【解決手段】画像形成装置本体１０に設けられる給紙カセット装着部１０２に対して装着される装着状態Ｐ１と、給紙カセット装着部１０２から引き出された引出状態Ｐ２と、を切り換え可能である給紙カセット１１０を備えた給紙装置１００であって、給紙カセット１１０は、給紙カセット本体１１２と、用紙を収容する収容部１１４、１１５と、装着状態Ｐ１から引出状態Ｐ２に給紙カセット１１０が移動する方向を引出方向Ｄ１として、収容部１１４、１１５よりも引出方向Ｄ１に対して後方において、給紙カセット本体１１２に配置されるミラー１２０と、を備える。【選択図】図５
2020175982.tif 000002
【特許請求の範囲】
【請求項１】
画像形成装置本体に設けられる給紙カセット装着部に対して装着される装着状態と、前記給紙カセット装着部から引き出された引出状態と、を切り換え可能である給紙カセットを備えた給紙装置であって、
前記給紙カセットは、
給紙カセット本体と、
用紙を収容する収容部と、
前記装着状態から前記引出状態に前記給紙カセットが移動する方向を引出方向として、前記収容部よりも前記引出方向に対して後方において、前記給紙カセット本体に配置されるミラーと、
を備えたことを特徴とする給紙装置。
【請求項２】
前記給紙カセット本体に対する前記ミラーの角度を変更可能となるように前記ミラーを支持する角度変更部をさらに有する、
請求項１に記載の給紙装置。
【請求項３】
前記角度変更部は、
前記引出方向に交差する方向に延びる第１回転軸まわりに前記ミラーの角度を変更可能に支持する、
請求項２に記載の給紙装置。
【請求項４】
前記角度変更部は、
前記第１回転軸まわりに前記ミラーの角度を変更可能に支持するとともに、
前記引出方向および前記第１回転軸に交差する方向に延びる第２回転軸まわりに前記ミラーの角度を変更可能に支持する、
請求項３に記載の給紙装置。
【請求項５】
前記角度変更部は、
前記給紙カセットの前記引出方向への移動と連動して前記給紙カセット本体に対する前記ミラーの角度を変更する、
請求項２から請求項４のいずれか１項に記載の給紙装置。
【請求項６】
前記角度変更部は、
前記給紙カセット本体に対する前記ミラーの角度を変更操作するための操作部を有する、
請求項２から請求項４のいずれか１項に記載の給紙装置。
【請求項７】
前記ミラーは、凸面鏡である、
請求項１から請求項６のいずれか１項に記載の給紙装置。
【請求項８】
請求項１から請求項７のいずれか１項に記載の給紙装置を備え、
前記給紙カセットの上方に用紙搬送経路が配置されており、前記用紙搬送経路の開放が可能である、
画像形成装置。
【発明の詳細な説明】
【技術分野】
【０００１】
本発明は、給紙カセットを備えた給紙装置、および給紙装置を備えた画像形成装置に関する。
【背景技術】
【０００２】
画像形成装置に設けられる給紙装置として、給紙カセットを備えた給紙装置が知られている。給紙カセットに収容できる用紙の収容量を増やすため、用紙を収容する収容部を水平方向に並設させたタンデム型の給紙装置も提案されている。
【０００３】
タンデム型の給紙装置では、給紙カセットの上方において用紙を水平方向に搬送する水平用紙搬送経路が設けられている。水平用紙搬送経路で紙詰まりが生じた場合、給紙カセットを引き出してＪＡＭ紙を取り除く操作を行う必要がある。
【先行技術文献】
【特許文献】
【０００４】
【特許文献１】特開２０００−２６７５４５号公報
【発明の概要】
【発明が解決しようとする課題】
【０００５】
しかしながら、給紙カセットの上方は使用者にとって視認しにくい位置である。このため、水平用紙搬送経路で紙詰まりが生じた場合にＪＡＭ紙の位置を確認したり、ＪＡＭ紙を取り除く操作を行うことは容易ではなかった。また、タンデム型の給紙装置は、画像形成装置の最下段に配置される場合があり、視認性がさらに低下していた。
【０００６】
給紙カセットの上方の視認性を改善するため、収容部にミラーを配置する技術も提案されている（例えば、特許文献１参照）。
【０００７】
しかしながら、給紙カセットの収容部にミラーを配置した場合、ミラーの上に用紙が載置されるため、用紙を取り除いてからでないとミラーを利用できない問題があった。また、ミラーの取り付け角度が固定されているため、効率的に所望の場所を視認できない問題もあった。
【０００８】
本発明の目的は、給紙カセットの上方に配置される用紙搬送経路をミラーで反射させて視認することができ、用紙搬送経路を容易に確認することができる給紙装置および画像形成装置を提供することにある。
【課題を解決するための手段】
【０００９】
本発明の給紙装置は、画像形成装置本体に設けられる給紙カセット装着部に対して装着される装着状態と、前記給紙カセット装着部から引き出された引出状態と、を切り換え可能である給紙カセットを備えた給紙装置であって、
前記給紙カセットは、
給紙カセット本体と、
用紙を収容する収容部と、
前記装着状態から前記引出状態に前記給紙カセットが移動する方向を引出方向として、前記収容部よりも前記引出方向に対して後方において、前記給紙カセット本体に配置されるミラーと、
を備えたことを特徴とする（第１の構成）。
【００１０】
上記構成によれば、給紙カセットの収容部よりも引出方向に対して後方において、給紙カセット本体にミラーが配置されている。このため、給紙カセットを引き出した引出状態において、給紙カセットの上方に配置される用紙搬送経路をミラーで反射させて視認することができ、用紙搬送経路を容易に確認することができる。
【００１１】
上記第１の構成において、
前記給紙カセット本体に対する前記ミラーの角度を変更可能となるように前記ミラーを支持する角度変更部をさらに有してもよい（第２の構成）。
【００１２】
上記構成によれば、角度変更部によってミラーの角度を変更することにより、ミラーで視認できる範囲を変更することができ、用紙搬送経路を容易に確認することができる。
【００１３】
上記第２の構成において、
前記角度変更部は、
前記引出方向に交差する方向に延びる第１回転軸まわりに前記ミラーの角度を変更可能に支持してもよい（第３の構成）。
【００１４】
上記構成によれば、角度変更部によって第１回転軸まわりにミラーの角度を変更することにより、ミラーで視認できる範囲を変更することができる。
【００１５】
上記第３の構成において、
前記角度変更部は、
前記第１回転軸まわりに前記ミラーの角度を変更可能に支持するとともに、
前記引出方向および前記第１回転軸に交差する方向に延びる第２回転軸まわりに前記ミラーの角度を変更可能に支持してもよい（第４の構成）。
【００１６】
上記構成によれば、角度変更部によって第１回転軸および第２回転軸まわりにミラーの角度を変更することにより、ミラーで視認できる範囲を広くすることができる。
【００１７】
上記第２から第４のいずれかの構成において、
前記角度変更部は、
前記給紙カセットの前記引出方向への移動と連動して前記給紙カセット本体に対する前記ミラーの角度を変更するようにしてもよい（第５の構成）。
【００１８】
上記構成によれば、給紙カセットを引き出す動作により、ミラーの角度が用紙搬送経路を視認することができる状態になるため、用紙搬送経路を容易に確認することができる。
【００１９】
上記第２から第４のいずれかの構成において、
前記角度変更部は、
前記給紙カセット本体に対する前記ミラーの角度を変更操作するための操作部を有してもよい（第６の構成）。
【００２０】
上記構成によれば、操作部を操作することによってミラーの角度が変更されるため、ミラーの角度を調整しながら用紙搬送経路を確認することができる。
【００２１】
上記第１から第６のいずれかの構成において、
前記ミラーは、凸面鏡であってもよい（第７の構成）。
【００２２】
上記構成によれば、ミラーが凸面鏡であるため、ミラーで視認できる範囲を広くすることができる。
【００２３】
本発明の画像形成装置は、上記第１から第７のいずれかの構成の給紙装置を備え、
前記給紙カセットの上方に用紙搬送経路が配置されており、前記用紙搬送経路の開放が可能である（第８の構成）。
【００２４】
上記構成によれば、用紙搬送経路をミラーで反射させて視認することで、用紙搬送経路を容易に確認することができるとともに、用紙搬送経路を開放させてＪＡＭ紙を容易に除去することができる。
【発明の効果】
【００２５】
本発明の給紙装置および画像形成装置によれば、給紙カセットの上方に配置される用紙搬送経路をミラーで反射させて視認することができ、用紙搬送経路を容易に確認することができる。
【図面の簡単な説明】
【００２６】
【図１】本発明の実施形態１に係る給紙装置を備えた画像形成装置を示す断面図である。
【図２】給紙装置を示す上面図である。
【図３】給紙カセットが装着状態となっている給紙装置の側面図である。
【図４】給紙カセットが引出状態となっている給紙装置の側面図である。
【図５】ミラーの角度を変更する状態を示す給紙装置の側面図である。
【図６】実施形態２に係る給紙装置を示す上面図である。
【図７】給紙カセットが装着状態となっている給紙装置の側面図である。
【図８】給紙カセットが引出状態となっている給紙装置の側面図である。
【図９】ミラーの角度を変更する状態を示す給紙装置の側面図である。
【図１０】実施形態３に係る給紙装置を示す上面図である。
【図１１】図１０のＡ方向から見た、ミラーの角度を変更する状態を示す側面図である。
【発明を実施するための形態】
【００２７】
〔実施形態１〕
以下、本発明の実施の形態に係る給紙装置１００および画像形成装置１について、図面を参照しつつ説明する。
【００２８】
図１は、本発明の実施形態１に係る給紙装置１００を備えた画像形成装置１を示す断面図である。画像形成装置本体１０は、画像形成装置１の基体を構成している。画像形成装置１において扱われる画像データは、ブラック（Ｋ）、シアン（Ｃ）、マゼンタ（Ｍ）、イエロー（Ｙ）の各色を用いたカラー画像に応じたもの、または単色（例えばブラック）を用いたモノクロ画像に応じたものである。このため、ブラック、シアン、マゼンタ、およびイエローに対応付けられて、４つの画像ステーションＰａ、Ｐｂ、Ｐｃ、Ｐｄが構成されている。画像ステーションＰａ、Ｐｂ、Ｐｃ、Ｐｄには、各色に応じた４種類のトナー像を形成するため、それぞれ現像装置１２、感光体ドラム１３、ドラムクリーニング装置１４、および帯電器１５等が設けられている。
【００２９】
各画像ステーションＰａ、Ｐｂ、Ｐｃ、Ｐｄのいずれにおいても、ドラムクリーニング装置１４により感光体ドラム１３表面の残留トナーを除去および回収した後、帯電器１５により感光体ドラム１３の表面を所定の電位に均一に帯電させる。光走査装置１１は、感光体ドラム１３表面を露光して、その表面に静電潜像を形成する。現像装置１２は、感光体ドラム１３表面の静電潜像を現像して、感光体ドラム１３表面にトナー像を形成する。これにより、各感光体ドラム１３表面に各色のトナー像が形成される。
【００３０】
中間転写ベルト２１は周回移動し、ベルトクリーニング装置２２によって中間転写ベルト２１の残留トナーが除去および回収される。各感光体ドラム１３表面の各色のトナー像は、中間転写ベルト２１に順次転写されて重ね合わされ、中間転写ベルト２１上にカラーのトナー像が形成される。
【００３１】
中間転写ベルト２１と２次転写装置２３の転写ローラ２３ａとの間にはニップ域が形成されている。用紙搬送経路３１を通じて搬送された用紙Ｓは、ニップ域に挟み込まれて搬送されつつ、中間転写ベルト２１表面のカラーのトナー像が転写される。トナー像が転写された用紙Ｓは、定着装置１７の加熱ローラ２４と加圧ローラ２５との間に挟み込まれて加熱および加圧され、用紙Ｓ上のカラーのトナー像が定着される。
【００３２】
画像形成装置本体１０の下部には、多段給紙ユニット４０が設けられている。多段給紙ユニット４０の上段には、用紙収容トレイ５１が設けられている。用紙収容トレイ５１に収容された用紙Ｓは、分離給送手段３３により１枚ずつ分離され、用紙搬送経路３１に向けて供給される。
【００３３】
多段給紙ユニット４０の下段には、給紙装置１００が設けられている。給紙装置１００は、タンデム型の給紙装置である。給紙装置１００は、給紙カセット１１０を備えている。給紙カセット１１０は、画像形成装置本体１０に設けられる給紙カセット装着部１０２に対して装着される装着状態Ｐ１（図２参照）と、給紙カセット装着部１０２から引き出された引出状態Ｐ２（図４参照）とを切り換えることが可能である。
【００３４】
給紙カセット１１０は、給紙カセット本体１１２、第１収容部１１４、および第２収容部１１５を有している。第１収容部１１４および第２収容部１１５は、給紙カセット本体１１２の内側において、並列に配置されている。第１収容部１１４および第２収容部１１５は、それぞれ用紙Ｓを収容可能である。第１収容部１１４および第２収容部１１５に収容された用紙Ｓは、分離給送手段３４、３５により１枚ずつ分離され、用紙搬送経路３１に向けて供給される。第２収容部１１５の上方には、第１収容部１１４から供給される用紙Ｓが搬送される水平用紙搬送経路３１Ａが設けられている。
【００３５】
用紙収容トレイ５１または給紙カセット１１０から引き出された用紙Ｓは、用紙搬送経路３１を通じて搬送され、２次転写装置２３や定着装置１７を経由し、排紙ローラ３８を介して排紙トレイ３９へと搬出される。用紙搬送経路３１には、レジストローラ３６や搬送ローラ３７が配置されている。レジストローラ３６は、用紙Ｓを一旦停止させて、用紙Ｓの先端を揃えた後、中間転写ベルト２１と転写ローラ２３ａ間のニップ域でのトナー像の転写タイミングに合わせて用紙Ｓの搬送を開始するローラである。搬送ローラ３７は、用紙搬送経路３１を通じて用紙Ｓを搬送するローラである。
【００３６】
以下に、給紙装置１００について、詳細に説明する。図２は、給紙装置１００を示す上面図である。図２では、給紙カセット１１０が給紙カセット装着部１０２に装着された装着状態Ｐ１を示している。装着状態Ｐ１から引出状態Ｐ２（図４および図５参照）に給紙カセット１１０を移動させる方向を引出方向Ｄ１とする。また、反対に引出状態Ｐ２から装着状態Ｐ１に給紙カセット１１０を移動させる方向を装着方向Ｄ２とする。
【００３７】
給紙カセット１１０には、ハンドル１１８およびロック機構１１９が設けられている。第１収容部１１４および第２収容部１１５への用紙Ｐの供給や交換、紙詰まりの確認の際には、使用者はハンドル１１８を引きながらロック機構１１９を解除して、給紙カセット１１０を装着状態Ｐ１から引出状態Ｐ２に引き出す操作を行う。
【００３８】
給紙カセット１１０は、ミラー１２０、および角度変更部１３０を備えている。
【００３９】
ミラー１２０は、給紙カセット１１０の上方に配置される水平用紙搬送経路３１Ａ等を反射させて視認するために設けられている。ミラー１２０は、収容部１１４、１１５よりも引出方向Ｄ１に対して後方（装着方向Ｄ２側）において支持されている。ミラー１２０は、角度変更部１３０によって給紙カセット本体１１２に取り付けられている。給紙カセット１１０が装着状態Ｐ１である場合、ミラー１２０は、反射面を上方に向けて水平に配置されている。ミラー１２０は、平面鏡であってもよく、上方に向けて突出する凸面鏡であってもよい。
【００４０】
角度変更部１３０は、ミラー１２０を支持するとともに、給紙カセット本体１１２に対するミラー１２０の角度を変更する。本実施形態の角度変更部１３０は、給紙カセット１１０の引出方向Ｄ１および装着方向Ｄ２への移動と連動して給紙カセット本体１１２に対するミラー１２０の角度を変更するように構成されている。以下に、角度変更部１３０の構成について詳細に説明する。
【００４１】
角度変更部１３０は、第１回転軸Ｃ１、ギヤ機構１３１、およびラック１３７を備えている。
【００４２】
第１回転軸Ｃ１は、引出方向Ｄ１に直交する方向、かつ水平方向に延びているとともに、軸心回りに回転可能となるように給紙カセット本体１１２に支持されている。第１回転軸Ｃ１には、ミラー１２０が取り付けられている。第１回転軸Ｃ１が回転することにより、第１回転軸Ｃ１まわりにミラー１２０の角度が変更される。
【００４３】
ギヤ機構１３１は、複数のギヤから構成されている。ギヤ機構１３１は、第１回転軸Ｃ１に接続されている。ギヤ機構１３１がラック１３７に噛み合うことにより、駆動力が第１回転軸Ｃ１に伝達され、ミラー１２０の角度が変更される。
【００４４】
ラック１３７は、給紙カセット装着部１０２に設けられている。ラック１３７は、給紙カセット１１０を装着状態Ｐ１から引出状態Ｐ２に引き出した位置でギヤ機構１３１に噛み合うように位置が設定されている。
【００４５】
図３は、給紙カセット１１０が装着状態Ｐ１となっている給紙装置１００の側面図である。角度変更部１３０の第１回転軸Ｃ１には、ミラー１２０が取り付けられている。給紙カセット１１０が装着状態Ｐ１である場合、ミラー１２０は、反射面を上方に向けて水平に配置されている。ギヤ機構１３１を構成する複数のギヤのうち、ギヤ１３１Ａがラック１３７に噛み合うように位置が設定されている。
【００４６】
給紙カセット１１０の第２収容部１１５の上方には、用紙Ｓが搬送される水平用紙搬送経路３１Ａが設けられている。水平用紙搬送経路３１Ａは、紙詰まりが生じた場合にＪＡＭ紙を取り除く操作ができるように、搬送ローラ３７のニップ域を開放可能である（図５参照）。
【００４７】
図４は、給紙カセット１１０が引出状態Ｐ２となっている給紙装置１００の側面図である。図４では、給紙カセット１１０が引出方向Ｄ１へ移動している状態を示している。ギヤ機構１３１のギヤ１３１Ａは、ラック１３７に噛み合う位置まで到達している。
【００４８】
給紙カセット１１０を引出方向Ｄ１へさらに移動させることにより、ラック１３７に噛み合ったギヤ１３１Ａが図示左回転する。ギヤ１３１Ａの回転駆動力は、複数のギヤを介して第１回転軸Ｃ１に伝達され、ミラー１２０を図示右回転させる。
【００４９】
図５は、ミラー１２０の角度を変更する状態を示す給紙装置１００の側面図である。図４に示したように、給紙カセット１１０を引出方向Ｄ１へ移動させると、その動きに連動してミラー１２０は、図示右回転して給紙カセット本体１１２に対するミラー１２０の角度が大きくなる。また、給紙カセット１１０を引出方向Ｄ１と反対の装着方向Ｄ２へ移動させると、その動きに連動してミラー１２０は、図示左回転して給紙カセット本体１１２に対するミラー１２０の角度が小さくなる。
【００５０】
使用者Ｇは、水平用紙搬送経路３１Ａをミラー１２０で反射させて視認しながら、水平用紙搬送経路３１Ａに紙詰まりしたＪＡＭ紙ＪＳを取り除く操作を行うことができる。また、給紙カセット１１０を引出方向Ｄ１および装着方向Ｄ２に移動させてミラー１２０の角度が調整することで、使用者Ｇの目の位置を変えずに給紙カセット１１０上方の広い範囲を視認することができる。
【００５１】
〔実施形態２〕
実施形態２の給紙装置２００では、角度変更部２３０は、使用者が操作部２４０を操作してミラー１２０の角度を変更する点で実施形態１の給紙装置１００と異なっている。以下の説明において、実施形態１と同様の構成には同一の符号を付して説明を省略し、実施形態１と異なる構成についてのみ説明する。
【００５２】
図６は、実施形態２に係る給紙装置２００を示す上面図である。図６では、給紙カセット２１０が給紙カセット装着部２０２に装着された装着状態Ｐ１を示している。図６に示すように、給紙カセット２１０は、ミラー１２０、および角度変更部２３０を備えている。
【００５３】
角度変更部２３０は、ミラー１２０を支持するとともに、給紙カセット本体２１２に対するミラー１２０の角度を変更する。本実施形態の角度変更部２３０は、操作部２４０を操作することにより給紙カセット本体２１２に対するミラー１２０の角度を変更するように構成されている。以下に、角度変更部２３０の構成について詳細に説明する。
【００５４】
角度変更部２３０は、第１回転軸Ｃ１、ギヤ機構２３１、および操作部２４０を備えている。
【００５５】
ギヤ機構２３１は、複数のギヤから構成されている。ギヤ機構２３１は、第１回転軸Ｃ１に接続されている。ギヤ機構２３１が操作部２４０のラック２４７に噛み合うことにより、駆動力が第１回転軸Ｃ１に伝達され、ミラー１２０の角度が変更される。
【００５６】
操作部２４０は、引出方向Ｄ１および装着方向Ｄ２に移動可能となるように給紙カセット本体２１２に設けられている。操作部２４０は、第１アーム２４１、第２アーム２４２、操作ハンドル２４３、およびラック２４７を備えている。
【００５７】
第１アーム２４１は、給紙カセット本体２１２の側方において、引出方向Ｄ１に延びている。第２アーム２４２は、第１アーム２４１の端部に接続されているともに、引出方向Ｄ１と直交する方向に延びている。操作ハンドル２４３は、ハンドル１１８の下方に配置されているとともに、第２アーム２４２の端部に接続されている。ラック２４７は、ギヤ機構２３１に噛み合うように第１アーム２４１に設けられている。
【００５８】
使用者が操作ハンドル２４３を引出方向Ｄ１または装着方向Ｄ２に向けて操作することにより、第２アーム２４２および第１アーム２４１を介して、ラック２４７が引出方向Ｄ１または装着方向Ｄ２に移動する。ラック２４７が引出方向Ｄ１または装着方向Ｄ２に移動することでラック２４７に噛み合ったギヤ機構２３１が回転し、駆動力が第１回転軸Ｃ１に伝達され、ミラー１２０の角度が変更される。
【００５９】
図７は、給紙カセット２１０が装着状態Ｐ１となっている給紙装置２００の側面図である。角度変更部２３０の第１回転軸Ｃ１には、ミラー１２０が取り付けられている。ギヤ機構２３１を構成する複数のギヤのうち、ギヤ２３１Ａがラック２４７に噛み合うように位置が設定されている。
【００６０】
図８は、給紙カセット２１０が引出状態Ｐ２となっている給紙装置２００の側面図である。図８では、操作ハンドル２４３が操作されていないため、ミラー１２０は、反射面を上方に向けて水平に配置された状態が維持されている。
【００６１】
図９は、ミラー１２０の角度を変更する状態を示す給紙装置２００の側面図である。図９に示したように、操作ハンドル２４３を引出方向Ｄ１へ移動させると、第１アーム２４１に設けられたラック２４７も引出方向Ｄ１へ移動し、ラック２４７に噛み合ったギヤ２３１Ａが図示右回転する。ギヤ２３１Ａの回転駆動力は、複数のギヤを介して第１回転軸Ｃ１に伝達され、ミラー１２０を図示右回転させる。
【００６２】
また、操作ハンドル２４３を引出方向Ｄ１と反対の装着方向Ｄ２へ移動させると、ラック２４７に噛み合ったギヤ２３１Ａが図示左回転する。ギヤ２３１Ａの回転駆動力は、複数のギヤを介して第１回転軸Ｃ１に伝達され、ミラー１２０を図示左回転させる。
【００６３】
使用者Ｇは、水平用紙搬送経路３１Ａをミラー１２０で反射させて視認しながら、水平用紙搬送経路３１Ａに紙詰まりしたＪＡＭ紙ＪＳを取り除く操作を行うことができる。また、操作部２４０を引出方向Ｄ１および装着方向Ｄ２に移動させてミラー１２０の角度が調整することで、使用者Ｇの目の位置を変えずに給紙カセット２１０上方の広い範囲を視認することができる。
【００６４】
〔実施形態３〕
実施形態３の給紙装置３００では、ミラー１２０の角度は、第１回転軸Ｃ１１まわりに変更可能であるとともに、第２回転軸Ｃ１２まわりにも変更可能である点で実施形態１の給紙装置１００と異なっている。以下の説明において、実施形態１と同様の構成には同一の符号を付して説明を省略し、実施形態１と異なる構成についてのみ説明する。
【００６５】
図１０は、実施形態３に係る給紙装置３００を示す上面図である。図１０では、給紙カセット３１０が給紙カセット装着部３０２に装着された装着状態Ｐ１を示している。図１０に示すように、給紙カセット３１０は、ミラー１２０、角度変更部５３０を備えている。角度変更部５３０は、第１角度変更部３３０および第２角度変更部４３０から構成されている。
【００６６】
第１角度変更部３３０は、給紙カセット本体３１２に対するミラー１２０の角度を第１回転軸Ｃ１１まわりに変更する。第１角度変更部３３０は、給紙カセット３１０の引出方向Ｄ１および装着方向Ｄ２への移動と連動して給紙カセット本体３１２に対するミラー１２０の角度を第１回転軸Ｃ１１まわりに変更するように構成されている。
【００６７】
第１角度変更部３３０は、第１回転軸Ｃ１１、ギヤ機構３３１、ラック３３７、および保持部３４５を備えている。
【００６８】
第１回転軸Ｃ１１は、水平方向かつ引出方向Ｄ１に直交する方向に延びているとともに、軸心回りに回転可能となるように給紙カセット本体３１２に支持されている。
【００６９】
第１回転軸Ｃ１１には、保持部３４５が固定されている。保持部３４５は有底の円筒形状を有している。保持部３４５には、第２角度変更部４３０を構成する第２回転軸Ｃ１２が回転可能に設けられている。第２回転軸Ｃ１２は、第１回転軸Ｃ１１に対して直交する方向に延びており、保持部３４５の側面を貫通するように設けられている。第２回転軸Ｃ１２には、ミラー１２０が取り付けられている。第１回転軸Ｃ１１が回転することにより、保持部３４５および第２回転軸Ｃ１２を介して第１回転軸Ｃ１１まわりにミラー１２０の角度が変更される。
【００７０】
ギヤ機構３３１およびラック３３７は、実施形態１のギヤ機構１３１およびラック１３７と同様の構成を有している。ギヤ機構３３１は、複数のギヤから構成されている。ギヤ機構３３１は、第１回転軸Ｃ１１に接続されている。ギヤ機構３３１がラック３３７に噛み合うことにより、駆動力が第１回転軸Ｃ１１に伝達され、ミラー１２０の角度が変更される。
【００７１】
ラック３３７は、給紙カセット装着部３０２に設けられている。ラック３３７は、給紙カセット３１０を装着状態Ｐ１から引出状態Ｐ２に引き出した位置でギヤ機構３３１に噛み合うように位置が設定されている。
【００７２】
給紙カセット３１０を装着状態Ｐ１から引出状態Ｐ２に引き出し、ギヤ機構３３１がラック３３７に噛み合った状態で給紙カセット３１０を引出方向Ｄ１または装着方向Ｄ２へ移動させると、その動きに連動してミラー１２０が第１回転軸Ｃ１１まわりに回転して給紙カセット本体３１２に対するミラー１２０の角度が変化する（図１１参照）。
【００７３】
第２角度変更部４３０は、給紙カセット本体３１２に対するミラー１２０の角度を第２回転軸Ｃ１２まわりに変更する。第２角度変更部４３０は、操作部４４０を操作することにより給紙カセット本体３１２に対するミラー１２０の角度を変更するように構成されている。
【００７４】
第２角度変更部４３０は、第２回転軸Ｃ１２、第３回転軸Ｃ１３、ギヤ機構４３１、および操作部４４０を備えている。
【００７５】
ギヤ機構４３１は、実施形態２のギヤ機構２３１と同様の構成を有している。ギヤ機構４３１は、複数のギヤから構成されている。ギヤ機構４３１は、第３回転軸Ｃ１３に接続されている。ギヤ機構４３１が操作部４４０のラック４４７に噛み合うことにより、駆動力が第３回転軸Ｃ１３に伝達される。
【００７６】
第２回転軸Ｃ１２および第３回転軸Ｃ１３は、かさ歯車４３５を介して接続されている。このため、第３回転軸Ｃ１３が回転することにより、第２回転軸Ｃ１２が回転して、ミラー１２０の角度が第２回転軸Ｃ１２まわりに変更される。
【００７７】
操作部４４０は、引出方向Ｄ１および装着方向Ｄ２に移動可能となるように給紙カセット本体３１２に設けられている。操作部４４０は、第１アーム４４１、第２アーム４４２、操作ハンドル４４３、およびラック４４７を備えている。操作ハンドル４４３は、ハンドル１１８の下方に配置されているとともに、第２アーム４４２の端部に接続されている。ラック４４７は、ギヤ機構４３１に噛み合うように第１アーム４４１に設けられている。
【００７８】
使用者が操作ハンドル４４３を引出方向Ｄ１または装着方向Ｄ２に向けて操作することにより、第２アーム４４２および第１アーム４４１を介して、ラック４４７が引出方向Ｄ１または装着方向Ｄ２に移動する。ラック４４７が引出方向Ｄ１または装着方向Ｄ２に移動することでラック４４７に噛み合ったギヤ機構４３１が回転し、駆動力が第３回転軸Ｃ１３および第２回転軸Ｃ１２に伝達され、ミラー１２０の角度が第２回転軸Ｃ１２まわりに変更される（図１１参照）。
【００７９】
図１１は、図１０のＡ方向から見た、ミラー１２０の角度を変更する状態を示す側面図である。図１１に示したように、ミラー１２０は、第１角度変更部３３０により第１回転軸Ｃ１１まわりに角度変更が可能である。また、ミラー１２０は、第２角度変更部４３０により第２回転軸Ｃ１２まわりに角度変更が可能である。
【００８０】
図１１の状態では、第１回転軸Ｃ１１は、水平方向かつ引出方向Ｄ１に直交する方向に延びている。また、第２回転軸Ｃ１２は、引出方向Ｄ１および第１回転軸Ｃ１１の軸方向に交差する方向に延びている。ミラー１２０の角度を第１回転軸Ｃ１１および第２回転軸Ｃ１２まわりに変更することにより、ミラー１２０の角度の調整範囲が広がるため、使用者は目の位置を変えずに給紙カセット３１０上方の広い範囲を視認することができる。
【００８１】
〔変形例〕
ミラー１２０の角度を変更する機構は一例であり、他の機構を用いてもよい。例えば、ミラー１２０の角度を変更する駆動力を伝達する機構としてラックとギヤ機構を用いたが、他の機構を用いてもよい。また、実施形態３では、かさ歯車を用いて駆動力を伝達したが、ウォームギヤを用いて駆動力を伝達する構成であってもよい。
【００８２】
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【産業上の利用可能性】
【００８３】
本発明は、電子写真方式の画像形成装置、およびこれに備えられる給紙装置に適用することが可能である。
【符号の説明】
【００８４】
１      画像形成装置
１０    画像形成装置本体
１００  給紙装置
１０２  給紙カセット装着部
１１０  給紙カセット
１１２  給紙カセット本体
１１４、１１５  収容部
１２０  ミラー
Ｐ１    装着状態
Ｐ２    引出状態
Ｄ１    引出方向
【図１】
2020175982.tif 000003
【図２】
2020175982.tif 000004
【図３】
2020175982.tif 000005
【図４】
2020175982.tif 000006
【図５】
2020175982.tif 000007
【図６】
2020175982.tif 000008
【図７】
2020175982.tif 000009
【図８】
2020175982.tif 000010
【図９】
2020175982.tif 000011
【図１０】
2020175982.tif 000012
【図１１】
2020175982.tif 000013